(57)【要約】【課題】側突等によって乗員が車両中央に投げ出されたときに、倒れることなく乗員を受け止めることが可能な、車両中央のエアバッグ装置を提供することを目的とする。【解決手段】本発明にかかるエアバッグ装置１００は、車両内の運転席１１０Ａの車両中央側に設けられ、運転席１１０Ａのシートバック１１２Ａの前方に膨張展開可能なエアバッグ１２０と、エアバッグ１２０にガスを供給して膨張展開させるインフレータ１２４と、膨張展開したエアバッグ１２０の、運転席１１０Ａとは反対側に作動して、エアバッグ１２０に加わる横方向の力に対してエアバッグ１２０を支持するストップバー１４０と、ストップバー１４０を作動させる作動手段１５０と、を含むことを特徴とする。【選択図】図３
2009280023.tif 000002
【特許請求の範囲】
【請求項１】
車両内の座席の車両中央側に設けられ、該座席のシートバックの前方に膨張展開可能なエアバッグと、
前記エアバッグにガスを供給して膨張展開させるインフレータと、
膨張展開した前記エアバッグの、前記座席とは反対側に作動して、該エアバッグに加わる横方向の力に対して該エアバッグを支持する支持要素と、
前記支持要素を作動させる作動手段と、
を含むことを特徴とするエアバッグ装置。
【請求項２】
前記支持要素は、前記座席またはその隣席のシートバックの上部に回転自在に軸支され略水平方向に突出する軸部と、該軸部に対して略直交方向に延伸するバー部とを有する棒状体であり、
前記作動手段は、前記バー部が略水平前方に向けられるよう、前記軸部を回転させることを特徴とする請求項１に記載のエアバッグ装置。
【請求項３】
前記支持要素は、前記座席とその隣席との間に設けられたコンソールボックスの上蓋であり、前記座席から遠い側のヒンジ部にて該コンソールボックスに接続されていて、
前記作動手段は、前記上蓋の、前記座席に近い側の自由縁部を持ち上げ、前記上蓋を前記ヒンジ部に支えさせて略鉛直方向に立設させることを特徴とする請求項１に記載のエアバッグ装置。
【請求項４】
前記座席の下方に設けられ、該座席に乗員が着座していることを検知している間のみ、前記エアバッグを膨張展開可能にする乗員センサをさらに含むことを特徴とする請求項１から３のいずれか１項に記載のエアバッグ装置。
【発明の詳細な説明】
【技術分野】
【０００１】
本発明は、車両が側突を受けた場合等に、運転席と助手席との間で膨張展開して、横方向の衝撃から乗員を保護するエアバッグ装置に関するものである。
【背景技術】
【０００２】
車両に側突、スピン、ロールオーバ（横転）などが発生した場合、乗員は、左右方向へ移動しようとする。例えば運転席側のサイドドアに他の車両や電柱などが衝突する側突の場合、乗員は、まず慣性によって、側突が生じたサイドドアに向かって一瞬移動する。このとき運転者は車両外側、助手は車両中央側へ一瞬移動することとなる。その直後、乗員は、より強い力によって反対方向へ移動する。つまり運転者は車両中央側、助手は車両外側へ押し戻される。車両全体が、側突が生じたサイドドアとは反対側に弾かれるためである。
【０００３】
スピンの場合、乗員は遠心力で変則的に左右に移動し、ロールオーバの場合は、横転する車体の下側になったサイドドアに向かって乗員は移動する。
【０００４】
乗員が３点式シートベルトを着用しているときは、シートベルト装置のショルダベルトやラップベルトの拘束作用によって、左右方向への移動がある程度は抑制される。しかし３点式シートベルトを着用していても完全には左右方向への移動を防止できない。とりわけ、３点式シートベルトの車両中央側には肩ベルトがないため、乗員はシートベルトから外れ、車両中央側に投げ出されてしまうおそれが大きい。
【０００５】
車両外側に移動する乗員を保護するサイドエアバッグは、左右の各サイドドア側に設けられていて、車両が側突によって急減速した場合に、瞬時に膨張展開する（例えば特許文献１）。
【０００６】
車両中央側に投げ出される乗員に対しても、運転席と助手席との間で膨張展開するエアバッグ装置が提案されている。例えば特許文献２には、センタコンソール内に、上方に向かって膨張展開するエアバッグが収納されている。また特許文献３には、運転席・助手席の両方のシートバックにそれぞれ設けられ、それら座席の間で膨張展開する２つのエアバッグが開示されている（例えば特許文献３）。
【０００７】
これら車両中央のエアバッグは、シートバックより前方に、略平板状に立設して膨張展開することによって、座席に着座する乗員の少なくとも胸部および頭部を、横方向の衝撃から保護する。
【特許文献１】特開２００８−７０１９
【特許文献２】実開平５−３０５５号公報
【特許文献３】英国特許出願公開第２３０９４４０号明細書
【発明の開示】
【発明が解決しようとする課題】
【０００８】
しかし、特許文献２に開示されているような車両中央のエアバッグは、シートバックより前方に膨張展開するため、特許文献１のサイドエアバッグのようにドアで支持されているわけではない。したがって、横方向から衝撃が到来すると、倒れてしまうおそれがある。
【０００９】
特許文献３に記載のように車両中央に２つのエアバッグが膨張展開する場合、乗員からの衝撃を受けた一方のエアバッグは、他方のエアバッグで支持される位置関係にある。しかし、いくらインフレータの出力をアップしてエアバッグの内圧を上昇させ、剛性を高めても、エアバッグがサイドドアのような固定的な物体によって支持されていない限り、支持体としては機能せず、エアバッグが倒れてしまうおそれは解決できない。
【００１０】
本発明は、このような課題に鑑み、側突等によって乗員が車両中央に投げ出されたときに、倒れることなく乗員を受け止めることが可能な、車両中央のエアバッグ装置を提供することを目的としている。
【課題を解決するための手段】
【００１１】
上記課題を解決するために、本発明にかかるエアバッグ装置の代表的な構成は、車両内の座席の車両中央側に設けられ、座席のシートバックの前方に膨張展開可能なエアバッグと、エアバッグにガスを供給して膨張展開させるインフレータと、膨張展開したエアバッグの、座席とは反対側に作動して、エアバッグに加わる横方向の力に対してエアバッグを支持する支持要素と、支持要素を作動させる作動手段と、を含むことを特徴とする。
【００１２】
上記構成によれば、車両中央のエアバッグは、支持要素によって、横方向の力に対して支持されるため、乗員が倒れこんで来ても、倒れることなく乗員を受け止めることが可能である。
【００１３】
支持要素は、それ専用の作動手段を、エアバッグにガスを供給するインフレータとは別に有している。したがって、エアバッグを膨張展開させなくても、支持要素を独立に作動させることが可能である。
【００１４】
上述の支持要素は、座席またはその隣席のシートバックの上部に回転自在に軸支され略水平方向に突出する軸部と、軸部に対して略直交方向に延伸するバー部とを有する棒状体であり、作動手段は、バー部が略水平前方に向けられるよう、軸部を回転させてよい。
【００１５】
上記構成のように、エアバッグがシートバック内に収納されているのに対し、支持要素は、シートバック外に配設されている。動力源が別々であることに加えて、このように収納位置が異なる点でも、支持要素は、エアバッグの膨張展開とは独立に作動可能である。仮に作動要素がエアバッグと同様に、シートバック内に収納されていれば、エアバッグが膨張展開してシートバック外に飛び出さなければ、支持要素も作動できないからである。
【００１６】
上記構成では、支持要素はシートバックの上部の軸部を回転させるという単純な動作によって、作動位置まで迅速に移動可能である。
【００１７】
上述の支持要素は、座席とその隣席との間に設けられたコンソールボックスの上蓋であり、座席から遠い側のヒンジ部にてコンソールボックスに接続されていて、作動手段は、上蓋の、座席に近い側の自由縁部を持ち上げ、上蓋をヒンジ部に支えさせて略鉛直方向に立設させてもよい。
【００１８】
上記構成の支持要素の場合も、支持要素の配設位置はエアバッグのそれと異なるため、支持要素は、エアバッグの膨張展開とは独立に、しかも迅速に作動可能である。
【００１９】
本発明にかかるエアバッグ装置は、座席の下方に設けられ、座席に乗員が着座していることを検知している間のみ、エアバッグを膨張展開可能にする乗員センサをさらに含んでよい。
【００２０】
上記構成によれば、エアバッグは、膨張展開しないことがある。これにより必要最小限のエアバッグだけが作動することとなり、乗員が着座していない座席のエアバッグが無用に作動することがなくなる。一方、支持要素は、エアバッグとは独立に作動可能であるため、それ自体が設けられた座席（例えば助手席）に人がいず、そのエアバッグが膨張展開しない場合であっても、作動し、側突時に膨張展開する隣席（例えば運転席）のエアバッグを支持可能である。
【００２１】
仮にエアバッグと支持要素とが、例えば共通の収納位置に収納され、共通の作動手段としてインフレータを用いている場合、支持要素を作動させようとすれば、必ずエアバッグを膨張展開させなければならない。しかし本発明では、エアバッグの動作とは独立して、自由に支持要素を作動させることができるため、乗員センサによって必要最小限のエアバッグを膨張展開させるだけで済むこととなる。
【発明の効果】
【００２２】
本発明によれば、側突等によって乗員が車両中央に投げ出されても、車両中央のエアバッグを支持要素が支持するため、エアバッグは、倒れることなく乗員を受け止めることが可能である。
【００２３】
また、エアバッグの動作とは独立して、自由に支持要素を作動させることができるため、側突等が発生した場合に、必要最小限のエアバッグだけを膨張展開させるだけ済む。
【発明を実施するための最良の形態】
【００２４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２５】
（第１の実施形態）
図１は、本発明にかかるエアバッグ装置の第１の実施形態を例示する図である。エアバッグ装置１００は、車両内の座席（運転席１１０Ａ）の車両中央側に設けられ、運転席１１０Ａのシートバック１１２Ａの前方に膨張展開可能なエアバッグ１２０を有する。図１ではエアバッグ１２０は、シートバック１１２Ａ内に埋め込まれたカバー１２２Ａに収容されている。
【００２６】
図２は、上記のエアバッグ１２０を収容する図１のカバー１２２Ａの詳細な内部構成を例示する組立図である。カバー１２２Ａは、収容部１２６と蓋部１２８とを有し、カバー１２２Ａの収容部１２６には、エアバッグ装置１００を構成するエアバッグ１２０と、エアバッグ１２０にガスを供給して膨張展開させるシリンダ型のインフレータ１２４と、ガスの流れを案内するリテーナ１３０とが収容されている。これらを収容して蓋部１２８が閉じられた状態で、カバー１２２Ａは、運転席１１０Ａのシートバック１１２Ａの車両中央側の側面に埋め込まれている。
【００２７】
インフレータ１２４は、サイドドアに設けられた側突センサ（図示は省略）から側突を示す信号を受信すると点火され、エアバッグ１２０にガスを供給して膨張展開させる。すると、カバー１２２Ａは、収容部１２６と蓋部１２８との境目で開裂し、内部のエアバッグ１２０がシートバック１１２Ａの前方に展開する。
【００２８】
図３は図２のエアバッグが膨張展開した状態を例示する図である。エアバッグ装置１００は、さらに、ストップバー１４０を含む。ストップバー１４０は、膨張展開したエアバッグ１２０の、運転席１１０Ａとは反対側に作動して、エアバッグ１２０に加わる横方向１３２、すなわち車両前方１３４に直交する水平方向の力（乗員がエアバッグ１２０に衝突する力）に対してエアバッグ１２０を支持する支持要素である。
【００２９】
図４は図３に支持要素の例として例示したストップバー１４０が作動する様子を例示する図である。図４（ａ）はストップバー１４０と、それを作動させる作動手段１５０との位置関係を概念的に例示する図である。図４（ｂ）（ｃ）はそれぞれ、図４（ａ）の初期と作動時を例示するＡ−Ａ断面図である。
【００３０】
ストップバー１４０は、助手席１１０Ｂのシートバック１１２Ｂの上部に回転自在に軸支され略水平方向に突出する軸部１４２と、軸部１４２に対して略直交方向に延伸するバー部１４４とを有するＬ字型の棒状体である。ストップバー１４０は運転席１１０Ａに設けてもよい。
【００３１】
初期位置では図４（ａ）に例示するように、バー部１４４が鉛直下方向を向いている。側突センサ１６０（サイドドア内）は、側突を検知すると、ストップバー１４０用の作動手段１５０と、エアバッグ１２０用のインフレータ１２４（シートバック１１２Ａ、１１２Ｂ内）とに信号を送信する。作動手段１５０は側突センサ１６０から信号を受信すると、ストップバー１４０を作動させ、図３に例示するようにバー部１４４が略水平前方に向けられるよう、軸部１４２を回転させる。これと同時に、インフレータ１２４が点火され、エアバッグ１２０が図３に例示するように膨張展開する。
【００３２】
図４（ｂ）（ｃ）は図４（ａ）のストップバー１４０の作動手段１５０を概念的に例示する。作動手段１５０は、本実施形態では、ばね１５１を利用している。側突を示す信号を検知すると、作動手段１５０の初期状態を示す図４（ｂ）のピン１５２が図中奥側に引き込まれ、支えを失った回転部材１５６は、ばね１５４の圧縮力によって回転する。回転部材１５６はストップバー１４０の軸部１４２の端面に固定されているため、軸部１４２をも回転させる。図４（ｃ）に例示するように回転部材１５６はストッパ１５８によって停止し、軸部１４２も約９０°回転して停止し、図３のようにバー部１４４を水平前方に向ける。
【００３３】
作動手段１５０は、ばね１５１を利用したものにする必要はなく、棒状の軸部１４２を回転させることが可能な機構ならいかなるものを利用してもよい。動力源も、機械的な力を利用するものに限らず、マイクロガスジェネレータ等を利用してもよい。
【００３４】
本実施形態によれば、車両中央のエアバッグ１２０は、ストップバー１４０によって、横方向１３２の力に対して支持されるため、乗員が倒れこんで来ても、倒れることなく乗員を受け止めることが可能である。
【００３５】
本実施形態では、エアバッグ１２０は、シートバック１１２Ａ、１１２Ｂに設置され、そこから前方に膨張展開する。したがって、座席が前後にスライドしたりリクライニングしたりして、座席の位置が多少ずれていても、乗員に対して目標とする拘束位置、すなわち頭部・胸部を保護できる領域に、より確実に膨張展開し、乗員を拘束して保護可能である。
【００３６】
図５は、図３に例示する実施形態と、比較例との挙動を、ダミーを用いて簡易的に比較する図である。図５では、助手席１１０Ｂ側からの側突を模擬し、衝撃を加える試験を行っている。助手席１１０Ｂ側に、ダミー１６２を搭載して試験した。図５（ａ）は、本実施形態のエアバッグ１２０を備えていない比較例を示す。３点式シートベルト１６４の肩ベルトが外れて、模擬した運転席のドア部１６６に、右肩と頭部が衝突していることがわかる。つまり、３点式シートベルト１６４だけでは、構造的に乗員を拘束してエネルギー吸収できないことがわかる。
【００３７】
図５（ｂ）は、本実施形態のエアバッグ１２０を備えた場合を例示する。３点式シートベルト１６４の肩ベルトは外れているものの、模擬した運転席のドア部１６６に、右肩と頭部が衝突しないことがわかる。この場合も、３点式シートベルト１６４だけでは、構造的に乗員を拘束してエネルギー吸収できないことがわかる。さらに、エアバッグ１２０を収容するカバー１２２Ａ、１２２Ｂの配設位置は、図５に示す肩部〜上腕部が望ましいことが判明した。
【００３８】
図６は、図３のストップバー１４０に加えられる負荷を実験的に求めたグラフである。横軸を乗員の移動量とし、縦軸をストップバー１４０に加えられる負荷として、実測した。ストップバー１４０には３００ｋｇ・ｆ以下の負荷が加えられる。ストップバー１４０を丸形の中空材とした場合、材料の比例限度の応力として、３００ｋｇ・ｆが加えられるモーメントを、上記の丸形の中空材の断面係数で除することにより、算出可能である。その結果、丸形の中空材の外径φ２０〜３５ｍｍに対し、肉厚１．５〜３．５ｍｍにすればよいことがわかった。ストップバー１４０は、金属や合成樹脂等で製造してよい。中空材であるため、比較的比重の高い材質を用いても、実際の重量は軽量ですみ、大きなエネルギー（火力）を要することなく作動可能である。
【００３９】
ストップバー１４０は、それ専用の作動手段１５０を、エアバッグ１２０にガスを供給するインフレータ１２４とは別に有している。したがって、エアバッグ１２０を膨張展開させなくても、ストップバー１４０を独立に作動させることが可能である。このように独立に作動させることが可能であるため、ストップバー１４０の作動タイミングは、エアバッグ１２０の膨張展開と同時でもよいし、必要に応じて、その前後にわずかに作動タイミングをずらしてもよい。
【００４０】
エアバッグ１２０がシートバック１１２Ａ内に収納されているのに対し、ストップバー１４０は、シートバック１１２Ａ外に配設されている。動力源が別々であることに加えて、このように収納位置が異なる点でも、ストップバー１４０は、エアバッグ１２０の膨張展開とは独立に作動可能である。仮にストップバー１４０がエアバッグ１２０と同様に、シートバック１１２Ａ内に収納されていれば、エアバッグ１２０が膨張展開してシートバック１１２Ａ外に飛び出さなければ、ストップバー１４０も作動できないからである。
【００４１】
上記構成では、ストップバー１４０はシートバック１１２Ａの上部の軸部１４２を回転させるという単純な動作によって、初期位置（図４（ｂ））から作動位置（図４（ｃ））まで迅速に移動可能である。ただし、このように初期位置から作動位置までストップバー１４０を移動させることなく、最初からストップバー１４０のバー部１４４を水平前方に向けておいてもよい。その場合、作動手段１５０は不要となり、常時水平方向に保たれているバー部１４４を乗員のアームレストとして使用してもよい。
【００４２】
図１の助手席１１０Ｂのエアバッグ１２０を収容するカバー１２２Ｂ内の構成は、運転席１１０Ａのカバー１２２Ａのそれと左右対称であるため、説明は省略する。
【００４３】
図３では運転席１１０Ａのエアバッグ１２０だけが膨張展開した状態を示しているが、さらに助手席１１０Ｂのエアバッグ１２０が膨張展開した状態を図７に例示する。この場合、運転席１１０Ａ、助手席１１０Ｂの両方のエアバッグ１２０を、ストップバー１４０は支持可能である。
【００４４】
（第２の実施形態）
図８は、本発明にかかるエアバッグ装置の第２の実施形態を例示する図である。第１の実施形態と共通する要素については、説明を省略する。本実施形態にかかるエアバッグ装置２００では、車両中央のエアバッグ１２０を支持する支持要素として、ストップバー１４０に代えて、運転席１１０Ａと助手席１１０Ｂとの間に設けられたコンソールボックス２１０の上蓋２２０を用いる。
【００４５】
図９は図８に支持要素の例として示したコンソールボックス２１０の上蓋２２０が作動する様子を例示する図である。図９（ａ）は上蓋２２０が作動する前の初期位置にある状態を例示し、図９（ｂ）は上蓋２２０が作動位置まで作動した状態を例示する図である。
【００４６】
図９（ａ）の初期状態に例示するように、上蓋２２０は、運転席１１０Ａから遠い側のヒンジ部２２２にてコンソールボックス２１０に接続され、閉じられている。本実施形態では、コンソールボックス２１０内のマイクロガスジェネレータ２３２が上蓋２２０の作動手段である。図９（ａ）の初期状態では、コンソールボックス２１０の室内と上蓋２２０とを接続する屈伸バー２３０は屈曲していて、コンソールボックス２１０内に収納されている。
【００４７】
作動時には、マイクロガスジェネレータ２３２が点火されてガスを噴出し、図９（ｂ）に例示するように、上蓋２２０の、運転席１１０Ａに近い側の自由縁部２２４を持ち上げ、上蓋２２０をヒンジ部２２２に支えさせて略鉛直方向に立設させる。これに伴って屈伸バー２３０は伸長する。屈伸バー２３０は上蓋２２０のストッパとしての機能も果たし、ヒンジ部２２２だけでは支持しきれない、エアバッグ１２０から受ける力を支持する。
【００４８】
本実施形態でも、支持要素である上蓋２２０の配設位置はエアバッグ１２０のそれと異なるため、上蓋２２０は、エアバッグ１２０の膨張展開とは独立に、しかも迅速に作動可能である。
【００４９】
屈伸バー２３０には、第１の実施形態のストップバー１４０と同様に、３００ｋｇ・ｆの力が加えられるため、屈伸バー２３０をコンソールボックス２１０内の前後２箇所に設けて、負荷を１／２にするとよい。屈伸バー２３０の数に制限はない。
【００５０】
上蓋２２０は、シートバック１１２Ａ、１１２Ｂのいずれのエアバッグ１２０も指示可能であり、図９（ｂ）に例示するように、運転席１１０Ａ、助手席１１０Ｂの両方のエアバッグ１２０が膨張展開した場合には、両方のエアバッグ１２０を支持可能である。
【００５１】
（乗員センサ）
第１および第２の実施形態におけるエアバッグ装置１００、２００は、いずれも、乗員センサをさらに含んでよい。乗員センサ３００は、座席（運転席１１０Ａまたは助手席１１０Ｂ）の下方に設けられ、座席に乗員が着座していることを検知している間のみ、エアバッグ１２０を膨張展開可能にする。
【００５２】
図１０は乗員センサを概略的に例示する図である。同図では助手席１１０Ｂに設けられた乗員センサ３００を例示する。乗員センサ３００は運転席１１０Ａおよび助手席１１０Ｂの両方に設けてもよいが、車両走行中は運転席１１０Ａには必ず乗員３１０が着座しているため、運転席１１０Ａについては、乗員３１０の有無に応じてエアバッグ１２０の膨張展開の可否を決定する必要性に乏しい。したがって、必ずしも運転席１１０Ａには乗員センサ３００を設けなくてよい。
【００５３】
乗員センサ３００はひずみゲージを利用した重量センサとしてよい。その他、乗員３２０の有無を検知できるあらゆる原理のセンサを用いてよい。
【００５４】
図１１は図４（ａ）に例示した側突センサ１６０、インフレータ１２４に加えて、上記の乗員センサ３００をエアバッグ装置１００に含めた場合のブロック図である。乗員センサ３００は、乗員３２０が助手席１１０Ｂに着座している間に限り、スイッチ３３０をオンにし、側突センサ１６０が側突を検知した場合の信号をインフレータ１２４に送信可能にする。これにより、図１０（ａ）（ｂ）に例示するように、助手席１１０Ｂに乗員３２０が着座している場合に限り、側突時に、助手席１１０Ｂのエアバッグ１２０が膨張展開する。
【００５５】
乗員センサ３００を設ければ、図１０（ａ）のように、乗員３２０が着座していない助手席１１０Ｂのエアバッグが無用に作動することがなくなる。一方、支持要素であるストップバー１４０またはコンソールボックス２１０の上蓋２２０は、エアバッグ１２０とは独立に作動可能である。例えば図１０（ａ）（ｂ）に例示するように、助手席１１０Ｂのエアバッグ１２０が膨張展開する、しないに拘らず、ストップバー１４０は作動し、側突時に必ず膨張展開する運転席１１０Ａのエアバッグ１２０を支持可能である。
【００５６】
仮にエアバッグ１２０とそれを支持する何らかの支持要素とが、例えば共通の収納位置に収納され、共通の作動手段としてインフレータ１２４を用いている場合、支持要素を作動させようとすれば、必ずエアバッグ１２０を膨張展開させなければならない。しかし本発明の各実施形態では、エアバッグ１２０の動作とは独立して、自由に支持要素を作動させることができるため、乗員センサ３００によって必要最小限のエアバッグを膨張展開させるだけで済むこととなる。
【００５７】
以上、添付図面を参照しながら本発明の好適な実施例について説明したが、以上に述べた実施形態は、本発明の好ましい例であって、これ以外の実施態様も、各種の方法で実施または遂行できる。特に本願明細書中に限定される主旨の記載がない限り、この発明は、添付図面に例示した詳細な部品の形状、大きさ、および構成配置等に制約されるものではない。また、本願明細書の中に用いられた表現および用語は、説明を目的としたもので、特に限定される主旨の記載がない限り、それに限定されるものではない。
【００５８】
したがって、当業者であれば、特許請求の範囲に記載された範疇内において、各種の変更例または修正例に想到し得ることは明らかであり、それらについても当然に本発明の技術的範囲に属するものと了解される。
【００５９】
例えば本発明の実施形態にかかるエアバッグ装置は、すべて、前部座席（運転席、助手席）に適用されるものであったが、後部座席にも、無論、適用可能である。
【産業上の利用可能性】
【００６０】
本発明は、車両が側突を受けた場合等に、運転席と助手席との間で膨張展開して、横方向の衝撃から乗員を保護するエアバッグ装置に利用することができる。
【図面の簡単な説明】
【００６１】
【図１】本発明にかかるエアバッグ装置の第１の実施形態を例示する図である。
【図２】図１のカバーの詳細な内部構成を例示する組立図である。
【図３】図２のエアバッグが膨張展開した状態を例示する図である。
【図４】図３に支持要素の例として例示したストップバーが作動する様子を例示する図である。
【図５】図３に例示する実施形態と、比較例との挙動を、ダミーを用いて簡易的に比較する図である。
【図６】図３のストップバーに加えられる負荷を実験的に求めたグラフである。
【図７】図３の助手席のエアバッグがさらに膨張展開した状態を例示する図である。
【図８】本発明にかかるエアバッグ装置の第２の実施形態を例示する図である。
【図９】図８に支持要素の例として例示したコンソールボックスの上蓋が作動する様子を例示する図である。
【図１０】図１および図８の実施形態に付加可能な乗員センサを概略的に例示する図である。
【図１１】図４（ａ）に例示した側突センサ、インフレータに加えて、乗員センサをエアバッグ装置に含めた場合のブロック図である。
【符号の説明】
【００６２】
１００、２００  …エアバッグ装置
１１０Ａ  …運転席
１１０Ｂ  …助手席
１１２Ａ、１１２Ｂ  …シートバック
１２０  …エアバッグ
１２４  …インフレータ
１４０  …ストップバー
１４２  …軸部
１４４  …バー部
１５０  …作動手段
１５１  …ばね
１６２  …ダミー
１６４  …３点式シートベルト
２１０  …コンソールボックス
２２０  …上蓋
２２２  …ヒンジ部
２２４  …自由縁部
２３０  …屈伸バー
２３２  …マイクロガスジェネレータ
３００  …乗員センサ
【図１】
2009280023.tif 000003
【図２】
2009280023.tif 000004
【図３】
2009280023.tif 000005
【図４】
2009280023.tif 000006
【図５】
2009280023.tif 000007
【図６】
2009280023.tif 000008
【図７】
2009280023.tif 000009
【図８】
2009280023.tif 000010
【図９】
2009280023.tif 000011
【図１０】
2009280023.tif 000012
【図１１】
2009280023.tif 000013